(57)【要約】【課題】本考案は、残土や浚渫土の成分を含有する雨水の液体が仮置き場の地盤内に浸透して土壌を汚染することがない止水シートを提供することにある。【解決手段】本考案に係る止水シートＡ、Ａ’は、止水シートＡ、Ａ’の端部側を余部１０、１０’とし、止水シートＡ、Ａ’の端部１、１’から該余部１０１０’を除外した部分に接合片２０、２０’を取着してなり、同一構造の隣接する止水シートＡ、Ａ’同士との間において、接合片２０、２０’同士が隣接する位置において余部１０、１０’同士を重ね合わせて余部の端部１、１’が内方側になるように巻回し、隣接する接合片２０、２０’同士を接合することにより、止水シートＡ、Ａ’の連結を可能にしたものである。【選択図】  図２
0003121237.tif 000002
【実用新案登録請求の範囲】
【請求項１】
土木工事において使用する止水シートであって、止水シートの端部側を余部とし、止水シートの端部から該余部を除外した部分に接合片を取着してなり、同一構造の隣接する止水シート同士との間において、接合片同士が隣接する位置において余部同士を重ね合わせて余部の端部が内方側になるように巻回し、隣接する接合片同士を接合することにより、止水シートの連結を可能にしたことを特徴とする止水シート。
【請求項２】
接合片は多数の目孔が設けられ、隣接する接合片の目孔を連結部材を介して連結することにより、止水シートの連結を可能にしたことを特徴とする請求項１に記載の止水シート。
【請求項３】
接合片は、目孔を設けた織物地部と該織物地部の目孔の部分を除外して縫着した合成樹脂シート部とから構成し、該合成樹脂シート部を止水シートに取着したことを特徴とする請求項２に記載の止水シート。
【考案の詳細な説明】
【技術分野】
【０００１】
本考案は、土木工事において使用する止水シートであって、特に残土や浚渫土の仮置き場等に予め敷設しておくことにより、該仮置き場に土盛りした残土や浚渫土に含まれる成分が該仮置き場の地盤内に浸透することを防止するための止水シートに関する。
【背景技術】
【０００２】
従来より、仮置き場地盤内に対する浸透防止のために止水シートが使用されているが、止水シートが敷設される仮置き場等の面積が広い場合には、複数枚の止水シートを使用しなければならい。
【考案の開示】
【考案が解決しようとする課題】
【０００３】
しかしながら、複数の止水シートを使用する場合、各止水シートを重ね合わせたり、連結するなどして各止水シートを接合しているが、雨水が残土や浚渫土に浸透したときには、浸透した雨水に残土や浚渫土の成分が溶け込み、各止水シートの接合部における隙間から残土や浚渫土の成分を含有する雨水が仮置き場の地盤内に浸透して土壌を汚染するおそれがあった。そのため、上記の重ね合わせ部や連結部を覆うように幅広テープを貼着することも行われているが、その作業に結構手間が掛かり、かつ、十分な止水性が確保できないのが現状である。また、このように幅広テープを貼着した場合には、止水シートを取り去って保管しておく場合には、幅広テープを剥がさなければならず、手間を要するだけでなく、幅広テープが使い捨てとなるので経済性が悪い欠点があった。
【０００４】
本考案は、上記の実情に鑑みてなされたものであり、残土や浚渫土の成分を含有する雨水の液体が仮置き場の地盤内に浸透して土壌を汚染することがない止水シートを提供することにある。
【課題を解決するための手段】
【０００５】
本考案に係る止水シートは、止水シートの端部側を余部とし、止水シートの端部から該余部を除外した部分に接合片を取着してなり、同一構造の隣接する止水シート同士との間において、接合片同士が隣接する位置において余部同士を重ね合わせて余部の端部が内方側になるように巻回し、隣接する接合片同士を接合することにより、止水シートの連結を可能にしたことを特徴とするものである。
【０００６】
また、上記の止水シートの構成において、接合片は多数の目孔が設けられ、隣接する接合片の目孔を連結部材を介して連結することにより、止水シートの連結を可能にするようにしてもよい。
【０００７】
また、上記の止水シートの構成において、接合片は、目孔を設けた織物地部と該織物地部の目孔の部分を除いて縫着した合成樹脂シート部とから構成し、該合成樹脂シート部を止水シートに取着した構成としてもよい。
【考案の効果】
【０００８】
本考案の止水シートは、上記のような構成よりなるので、止水シートの端部における余部と隣接する止水シートの余部とが各余部の端部が内方側になるように重ね合わさって巻回され、隣接する接合片同士が接合されるので、接合片同士の接合箇所の隙間から雨水等の液体が進入しても、雨水等の液体が巻回された余部を周回し、余部の端部に達した後、折り返して再度周回しなければ、接合箇所の裏面側には漏出しないので、実質的に当該止水シートの止水性能は万全である。
【０００９】
また、接合片に多数の目孔が設けた場合には、適当な連結部材を使用すれば、隣接する接合片と容易に連結することができるので、止水シートの連結作業が簡単であり、また、容易に止水シートを分離することができる。
【００１０】
さらに、織物地部に目孔を設けた場合には、目孔に紐などを通して引っ張っても引きちぎれるおそれがなく、合成樹脂シート部と織物地部とを縫着し、合成樹脂シート部を止水シートに取着しているので接着強度が高く、丈夫である。
【考案を実施するための最良の形態】
【００１１】
以下に本考案の一実施例を図面に基づいて説明するが、本考案はこれによって限定されるものではない。
【実施例１】
【００１２】
図１は、本実施例に係る止水シートの部分斜視図であり、図２は止水シートを連結した状態を示す断面図であり、図３は止水シートの接合部上面から余部の端部までの雨水等の液体の侵入経路を示す概略図であり、図４は止水シートの余部の端部から止水シートの接合部下面までの雨水等の液体の排出経路を示す概略図である。
【００１３】
図１において、Ａは本実施例に係る止水シートであり、該止水シートＡの端部側は余部１０であり、止水シートの端部１すなわち余部１０の端部１から該余部１０を除外した内方部に接合片２０が取着されている。
【００１４】
接合片２０は合成樹脂繊維糸を使用した織物製よりなる織物地部２１と表面をエンボス加工してなる表面フラットな合成樹脂シートよりなる合成樹脂シート部２６とから構成される。該織物地部２１は、その端部側に適当間隔をおいて、横一列の目孔２２が設けられている。この目孔２２は後述するように止水シートＡ同士を連結するときに使用する。なお、目孔２２は単に穴を開けて形成するだけでもいいが、鳩目などを取り付けて丈夫することが望ましい。該織物地部２１と該合成樹脂シート部２６とは、目孔２２を除いて、すなわち目孔２２が形成されている部分が覆い隠されないように合成樹脂シート部２６をずらして重ね合わせられ、互いに縫着されている。符号２３は縫着線を表す。そして、合成樹脂シート部２６の織物地部２１を縫着していない他方の面を止水シートＡに熱溶着することにより、止水シートＡに接合片２０が取着される構成となる。このように構成する理由は、まず、目孔を形成するシートが合成樹脂製のシートであると引っ張り強度が低く目孔に紐等を通して引っ張ると目孔が破損し、止水シート同士の連結が崩れて、雨水などの液体が止水シートの上面から下面へ漏出するおそれがある。そこで、目孔を形成するシートとして合成樹脂製糸よりなる織物地を採用すれば引っ張り強度が丈夫である。しかし、この織物地はその表面が粗く、本来的に非透水性の合成樹脂シートよりなる平滑面の止水シートとは、接着剤等を介して、また、熱溶着により取着しても接着強度が低く、止水シートから織物地が剥離することにより止水シート同士の連結が崩れて、結局、雨水などの液体が止水シートの上面から下面へ漏出するおそれがある。しかし、止水シートに織物地を直接縫着すると、縫着の縫い目から雨水などの液体が止水シートの上面から下面へ浸透するおそれがある。そこで、本実施例のように、織物地を一旦合成樹脂製シートと縫着し、この合成樹脂製シートを止水シートに熱溶着したのである。なお、合成樹脂シート部２６と止水シートＡとは接着剤を介して取着してもよい。
【００１５】
図２は上述した構成よりなる止水シートＡ、Ａ’を互いに突き合わして連結した状態であり、その連結の手順は、まず、図において左側の止水シートＡの織物地部２１と右側の止水シートＡ’の織物地部２１’とを互いに重なり合う程度に引き寄せ、織物地部２１の目孔２２と織物地部２１’の目孔２２’とに紐Ｂを挿通して縛る。なお、織物地部２１の目孔２２と織物地部２１’の目孔２２’とを接合するには、前述ような紐Ｂを用いることに限るものではなく、着脱可能な係号ピン等を使用してもよい。そして、止水シートＡの余部１０と止水シートＡ’の余部１０’とを重ね合わせて、余部１０、１０’の端部１、１’が内方側になるように巻回する。なお余部１０、１０’の端部１、１’が内方側になるように巻回するには、余部１０、１０’の端部１、１’から巻き始めれるだけでよい。この巻回状態にある余部１０、１０’を押圧してできるだけ扁平な状態とし、接着テープＣ等を使用して扁平状態を維持するように固定する。このようにして、止水シートＡ、Ａ’が連結される。
【００１６】
次に、上記のように連結した止水シートＡ、Ａ’の止水性能が万全であることを図３及び図４により説明する。連結した止水シートＡ、Ａ’の上面に雨水等の液体Ｄが付着したときに、液体Ｄは、重ね合わさった織物地部２１、２１’の隙間や目孔２２、２２’から余部１０、１０’の上面側１０ａ、１０’ａに達し、液体Ｄは余部１０、１０’の上面側１０ａ、１０’ａの隙間口１１ａから侵入しようとする。しかし、余部１０、１０’は上記したように実際には巻回されている上に押圧されて扁平な状態にあるので、液体Ｄは余部１０、１０’の上面側１０ａ、１０’ａの隙間口１１ａから侵入するのを阻止され、仮に侵入することがあっても、隙間口１１ａから僅か内方に侵入する程度である。この液体Ｄが、止水シートＡ、Ａ’の上面側から下面側に出ることを想定するならば、液体Ｄは余部１０、１０’の上面側１０ａ、１０’ａの隙間口１１ａから内方奥深くに侵入し続けなければならず、巻回された余部１０、１０’の上面側１０ａ、１０’ａの隙間を何重にも巡り回って、中心部１２に到達しなければならない。そして、この中心部１２に達した液体Ｄは、今度は、中心部１２における余部１０、１０’の下面側１０ｂ、１０’ｂの隙間口１１ｂから、余部１０、１０’の下面側１０ｂ、１０’ｂの隙間を何重にも巡り回って排出口１３まで達しなければならない。このようなことは実際上有り得ないことなので、本実施例に係る止水シートＡの止水性能が万全であることが明らかである。
【図面の簡単な説明】
【００１７】
【図１】本考案の実施例である止水シートの部分斜視図である。
【図２】本考案の実施例である止水シートを連結した状態を示す断面図である。
【図３】本考案の実施例である止水シートの接合部上面から余部の端部までの雨水等の液体の侵入経路を示す概略図である。
【図４】本考案の実施例である止水シートの余部の端部から止水シートの接合部下面までの雨水等の液体の排出経路を示す概略図である。
【符号の説明】
【００１８】
Ａ、Ａ’・・・止水シート
Ｂ・・・紐
Ｃ・・・接着テープ
Ｄ・・・雨水等の液体
１、１’・・・止水シートの端部（余部の端部）
１０、１０’・・・余部
１０ａ、１０ａ’・・・余部の上面側
１０ｂ、１０ｂ’・・・余部の下面側
１１ａ・・・余部の上面側の隙間口
１１ｂ・・・余部の下面側の隙間口
１２・・・巻回状態にある余部の中心部
１３・・・排出口
２０、２０’・・・接合片
２１、２１’・・・織物地部
２２、２２’・・・目孔
２３・・・縫着線
２６、２６’・・・合成樹脂シート部
【図１】
0003121237.tif 000003
【図２】
0003121237.tif 000004
【図３】
0003121237.tif 000005
【図４】
0003121237.tif 000006